(57)【特許請求の範囲】
【請求項１】
中央監視装置と、該中央監視装置と伝送路を介して接続された端末機器とを備え、上記端末機器は、自己に対する呼出信号を受信したときその取得した監視情報を上記中央監視装置へ返送するＣＰＵを備えた防災監視制御装置において、
上記中央監視装置は、上記端末機器のＣＰＵを停止状態とするスリープコマンドをすべての端末機器に対して送信し、かつ該スリープコマンドを送信した後所定時間経過後に伝送路の電圧を変化させる制御部を備え、
上記端末機器のＣＰＵは、上記スリープコマンドを受信したとき該スリープコマンドに基づき停止状態となり、該停止状態において伝送路の電圧変化を検出したときその停止状態が解除されることを特徴とする防災監視制御装置。
【請求項２】
中央監視装置と、該中央監視装置と伝送路を介して接続された端末機器とを備え、上記端末機器は、自己に対する呼出信号を受信したときその取得した監視情報を上記中央監視装置へ返送するＣＰＵを備えた防災監視制御装置において、
上記中央監視装置は、上記端末機器のＣＰＵを停止状態とするスリープコマンドをすべての端末機器に対して送信し、かつ該スリープコマンドを送信した後所定時間経過後に伝送路の電圧を通常の信号伝送時の電圧よりも低い所定電圧に降下させ、さらに該電圧降下後所定時間経過後に伝送路の電圧を通常の信号伝送時の電圧に上昇させる制御部を備え、
上記端末機器のＣＰＵは、上記スリープコマンドを受信したとき該スリープコマンドに基づき停止状態となり、該停止状態において伝送路の電圧上昇を検出したときその停止状態が解除されることを特徴とする防災監視制御装置。
【請求項３】
中央監視装置と、該中央監視装置と伝送路を介して接続された端末機器とを備え、上記端末機器は、通常時は自己に対する呼出信号を受信したときその取得した監視情報を上記中央監視装置へ返送し、異常発生時には割込み処理により所定のタイミングで異常検出情報を上記中央監視装置に返送するＣＰＵを備えた防災監視制御装置において、
上記中央監視装置は、所定周期毎に割込信号受信時間を設定したポーリングを行い、該ポーリングの後上記端末機器のＣＰＵを停止状態とするスリープコマンドをすべての端末機器に対して送信し、該スリープコマンドを送信した後所定時間経過後に伝送路の電圧を変化させる制御部を備え、
上記端末機器のＣＰＵは、上記スリープコマンドを受信したとき該スリープコマンドに基づき停止状態となり、該停止状態において伝送路の電圧変化を検出したときその停止状態が解除されることを特徴とする防災監視制御装置
【請求項４】
中央監視装置と、該中央監視装置と伝送路を介して接続された端末機器とを備え、上記端末機器は、通常時は自己に対する呼出信号を受信したときその取得した監視情報を上記中央監視装置へ返送し、異常発生時には割込み処理により所定のタイミングで異常検出情報を上記中央監視装置に返送するＣＰＵを備えた防災監視制御装置において、
上記中央監視装置は、所定周期毎に割込信号受信時間を設定したポーリングを行い、該ポーリングの後すべての端末機器に対し端末機器のＣＰＵを停止状態とするスリープコマンドを送信し、該スリープコマンドを送信した後所定時間経過後に伝送路の電圧を通常の信号伝送時の電圧よりも低い所定電圧に降下させ、該電圧降下後所定時間経過後に伝送路の電圧を通常の信号伝送時の電圧に上昇させる制御部を備え、
上記端末機器のＣＰＵは、上記スリープコマンドを受信したとき該スリープコマンドに基づき停止状態となり、該停止状態において伝送路の電圧上昇を検出したときその停止状態を解除することを特徴とする防災監視制御装置
【請求項５】
上記中央監視装置の制御部は、防災監視制御装置の停電時に上記スリープコマンドを発することを特徴とする請求項１乃至４に記載の防災監視制御装置。
【請求項６】
上記中央監視装置の制御部は、ポーリングに先立って、所定時間毎にすべての端末機器に対し監視情報の取込みを求めるデータ取込信号を送信する情報収集命令手段を備え、
上記端末機器のＣＰＵは、上記データ取込信号を受けて、監視情報を取込むと共にこれを保持し、通常時は自己に対する呼出信号を受信したとき当該監視情報を上記中央監視装置に返送し、異常発生時と判断した場合には割込み処理を行い異常発生を上記中央監視装置に返送することを特徴とする請求項３又は４に記載の防災監視制御装置。
【請求項７】
異常発生を検知した端末機器が行う割込み処理が、ポーリングに対する端末機器の返答時間に行われ、かつ割込み信号がブレークデータにより構成されてなることを特徴とする請求項３、４、６に記載の防災監視制御装置。
【請求項８】
上記中央監視装置の制御部は、異常発生を検知した端末機器からの割込信号を受信したとき、該割込信号を送出した端末機器を特定する処理を行うことを特徴とする請求項３、４、６、７に記載の防災監視制御装置。
【請求項９】
上記端末機器が、アナログ感知器又は中継器であることを特徴とする請求項１乃至８に記載の防災監視制御装置。
【請求項１０】
中央監視装置から伝送路を介してポーリングによりＣＰＵを有する端末機器を呼出し、自己に対する呼出信号を受信した端末機器がその取得した監視情報を上記中央監視装置へ返送する防災監視制御装置の制御方法において、
上記中央監視装置は、すべての端末機器に対し、端末機器のＣＰＵを停止状態とするスリープコマンドを送信し、該スリープコマンドを送信した後所定時間経過後に伝送路の電圧を変化させ、
上記端末機器のＣＰＵは、上記スリープコマンドを受信したとき該スリープコマンドに基づいて停止状態となり、該停止状態において伝送路の電圧変化を検出したときその停止状態を解除することを特徴とする防災監視制御装置の制御方法。
【請求項１１】
中央監視装置から伝送路を介してポーリングにより端末機器を呼出し、自己に対する呼出信号を受信した端末機器がその取得した監視情報を上記中央監視装置へ返送する防災監視制御装置の制御方法において、
上記中央監視装置は、すべての端末機器に対し、端末機器のＣＰＵを停止状態とするスリープコマンドを送信し、該スリープコマンドを送信した後所定時間経過後に伝送路の電圧を通常の信号伝送時の電圧よりも低い所定電圧に降下させ、該電圧降下後所定時間経過後に伝送路の電圧を通常の信号伝送時の電圧に上昇させ、
上記端末機器のＣＰＵは、上記スリープコマンドを受信したとき該スリープコマンドに基づいて停止状態となり、該停止状態において伝送路の電圧上昇を検出したときその停止状態を解除することを特徴とする防災監視制御装置の制御方法。
【請求項１２】
中央監視装置から伝送路を介してポーリングにより端末機器を呼出し、通常時は自己に対する呼出信号を受信した端末機器がその取得した監視情報を上記中央監視装置へ返送し、異常発生時には異常発生を検知した端末機器が割込み処理により所定のタイミングで異常検出情報を上記中央監視装置に返送する防災監視制御装置の制御方法において、
上記中央監視装置は、所定周期毎に割込み信号受信時間を有し、割込み信号を受付ける回数だけポーリングを行い、該ポーリングの後すべての端末機器に対し端末機器のＣＰＵを停止状態とするスリープコマンドを送信し、該スリープコマンドを送信した後所定時間経過後に伝送路の電圧を変化させ、
上記端末機器のＣＰＵは、上記スリープコマンドを受信したとき該スリープコマンドに基づいて停止状態となり、該停止状態において伝送路の電圧変化を検出したときその停止状態を解除することを特徴とする防災監視制御装置の制御方法。
【請求項１３】
中央監視装置から伝送路を介してポーリングにより端末機器を呼出し、通常時は自己に対する呼出信号を受信した端末機器がその取得した監視情報を上記中央監視装置へ返送し、異常発生時には異常発生を検知した端末機器が割込み処理により所定のタイミングで異常検出情報を上記中央監視装置に返送する防災監視制御装置の制御方法において、
上記中央監視装置は、所定周期毎に割込み信号受信時間を有し、割込み信号を受付ける回数だけポーリングを行い、該ポーリングの後すべての端末機器に対し端末機器のＣＰＵを停止状態とするスリープコマンドを送信し、該スリープコマンドを送信した後所定時間経過後に伝送路の電圧を通常の信号伝送時の電圧よりも低い所定電圧に降下させ、該電圧降下後所定時間経過後に伝送路の電圧を通常の信号伝送時の電圧に上昇させ、
上記端末機器のＣＰＵは、上記スリープコマンドを受信したとき該スリープコマンドに基づいて停止状態となり、該停止状態において伝送路の電圧上昇を検出したときその停止状態を解除することを特徴とする防災監視制御装置の制御方法。
【発明の詳細な説明】
【０００１】
【発明の属する技術分野】
本発明は、防災監視制御装置に関し、特に、停電時における消費電力を低減せしめた防災監視制御装置及びその制御方法に関する。
【０００２】
【従来の技術】
一般に、防災監視制御装置においては、いわゆるポ−リング方式と呼ばれる監視方法により中央監視装置が中継器やアナログ感知器などの複数の端末機器からデータを収集して状態監視を行っている。この場合、図１４に示すように、まず受信機から各端末機器に対し、データ収集を求めるサンプリングコマンドを送出する。各端末機器側ではこのサンプリングコマンドに基づき温度、煙濃度等のアナログデータを収集し、それをデジタルデータに変換して受信機からの呼出しを待つ。それに対し受信機は、サンプリングコマンドに続き、各端末機器のアドレスを順に指定して端末機器を呼出す。呼出された端末機器はそれに応答して監視情報を受信機に返送する。そして、この呼出しをｎ回繰返すことによってまずｎ個の端末機器の監視情報が集められる。このようにしてｎ個の端末機器におけるデータ収集が終了すると再びサンプリングコマンドを発し、ｎ＋１個目からの端末機器を呼出してデータ収集を行う。即ち、端末機器側からの発報割込みや制御データの送信が行われない限り、受信機はＡ／Ｄ変換とＡ／Ｄ変換との間に端末機器のポーリングを順次行う。このような動作が繰返されることによってすべての端末機器のデータが収集される。なお、サンプリングコマンドを発した後ｎ個の端末機器のデータを収集するために要する時間は約１秒である。
【０００３】
ところで、防災監視制御装置、特に火災報知設備は、規格により、たとえ停電状態になってもその機能を一定時間以上維持しなければならない旨規定されている。このような規格は各国ごとに定められており、例えば日本では停電時１時間、英国では停電時７２時間火災報知設備としての機能を維持しなければならないとされている。そのため火災報知設備の中央監視装置には、停電時のバックアップ電源としてバッテリを内蔵する必要があり、特に英国のような長時間の機能維持を求める国において使用するものについては、それだけの時間その機能を確保し得るような大容量のバッテリを内蔵する必要がある。
【０００４】
一方、端末機器となるアナログ感知器や中継器にはＣＰＵが搭載されているため、これらによる消費電流もかなりの量にのぼる。このため、停電時にその消費電流を賄うためには、内蔵バッテリもその分大きい容量のものを用いなければならないことになる。従って、機器そのものも大型化すると共に、システムもその分コストアップしてしまうという問題が生じていた。また、端末機器の消費電流が大きい関係から、線路抵抗が電流により制限されるため線路長を長くできないといった問題もあった。
【０００５】
このような問題を解決するためのものとして、特開昭６２−２４９２９９号のような設備が知られている。この設備は、受信機からのポーリングアドレスと端末機器固有のアドレスとが異なるときには、端末機器のＣＰＵを待機状態として消費電力の低減を図ろうとするものである。この方式にあっては、受信機からのアドレス信号や命令信号を一旦バッファ回路の保持し、この信号を受けることによりＣＰＵに割込みをかけてＣＰＵを待機状態からラン状態とする。そして、ラン状態となったＣＰＵは、バッファ回路に保持されているアドレス信号を読込み、それが自己アドレスと一致するかどうかを確認し、一致しなかった場合には待機状態となる。
【０００６】
【発明が解決しようとする課題】
しかしながら、このような従来の火災報知設備にあっては、受信機からのアドレス信号、命令信号を一旦バッファ回路等の周辺回路で保持しなければならないため、ＣＰＵ周辺回路の構成が複雑となってしまい、勢いコストアップにつながるという問題があった。また、ＣＰＵを常にラン状態としておく場合よりは消費電力が少ないものの、周辺回路の消費電流の影響も端末機器が多くなればなるほど無視できなくなり、その改善が望まれていた。
【０００７】
本発明は、上記課題を解決し、停電時における消費電力を大幅に低減せしめる防災監視制御装置を提供することを目的とする。
【０００８】
【課題を解決するための手段】
上記課題を解決するため請求項１の本発明にあっては、中央監視装置と、該中央監視装置と伝送路を介して接続された端末機器とを備え、上記端末機器は、自己に対する呼出信号を受信したときその取得した監視情報を上記中央監視装置へ返送するＣＰＵを備えた防災監視制御装置において、上記中央監視装置は、上記端末機器のＣＰＵを停止状態とするスリープコマンドをすべての端末機器に対して送信し、かつ該スリープコマンドを送信した後所定時間経過後に伝送路の電圧を変化させる制御部を備え、上記端末機器のＣＰＵは、上記スリープコマンドを受信したとき該スリープコマンドに基づき停止状態となり、該停止状態において伝送路の電圧変化を検出したときその停止状態が解除される構成としている。
【０００９】
また、請求項２にあっては、中央監視装置が、端末機器のＣＰＵを停止状態とするスリープコマンドをすべての端末機器に対して送信し、かつ該スリープコマンドを送信した後所定時間経過後に伝送路の電圧を通常の信号伝送時の電圧よりも低い所定電圧に降下させ、さらに該電圧降下後所定時間経過後に伝送路の電圧を通常の信号伝送時の電圧に上昇させる制御部を備え、端末機器のＣＰＵは、上記スリープコマンドを受信したとき該スリープコマンドに基づき停止状態となり、該停止状態において伝送路の電圧上昇を検出したときその停止状態が解除される構成としている。
【００１０】
さらに、請求項３にあっては、中央監視装置と、該中央監視装置と伝送路を介して接続された端末機器とを備え、上記端末機器は、通常時は自己に対する呼出信号を受信したときその取得した監視情報を上記中央監視装置へ返送し、異常発生時には割込み処理により所定のタイミングで異常検出情報を上記中央監視装置に返送するＣＰＵを備えた防災監視制御装置において、上記中央監視装置は、所定周期毎に割込信号受信時間を設定したポーリングを行い、該ポーリングの後上記端末機器のＣＰＵを停止状態とするスリープコマンドをすべての端末機器に対して送信し、該スリープコマンドを送信した後所定時間経過後に伝送路の電圧を変化させる制御部を備え、上記端末機器のＣＰＵは、上記スリープコマンドを受信したとき該スリープコマンドに基づき停止状態となり、該停止状態において伝送路の電圧変化を検出したときその停止状態が解除される構成としている。
【００１１】
加えて、請求項４にあっては、中央監視装置は、所定周期毎に割込信号受信時間を設定したポーリングを行い、該ポーリングの後すべての端末機器に対し端末機器のＣＰＵを停止状態とするスリープコマンドを送信し、該スリープコマンドを送信した後所定時間経過後に伝送路の電圧を通常の信号伝送時の電圧よりも低い所定電圧に降下させ、該電圧降下後所定時間経過後に伝送路の電圧を通常の信号伝送時の電圧に上昇させる制御部を備え、端末機器のＣＰＵは、上記スリープコマンドを受信したとき該スリープコマンドに基づき停止状態となり、該停止状態において伝送路の電圧上昇を検出したときその停止状態を解除する構成としている。
【００１２】
さらにまた、請求項５では上記中央監視装置の制御部は防災監視制御装置の停電時に上記スリープコマンドを発することを特徴としており、請求項６では中央監視装置の制御部はポーリングに先立って所定時間毎にすべての端末機器に対し監視情報の取込みを求めるデータ取込信号を送信する情報収集命令手段を備え、端末機器のＣＰＵは上記データ取込信号を受けて監視情報を取込むと共にこれを保持し通常時は自己に対する呼出信号を受信したとき当該監視情報を上記中央監視装置に返送し異常発生時と判断した場合には割込み処理を行い異常発生を上記中央監視装置に返送することを特徴としている。
【００１３】
そして、請求項７では異常発生を検知した端末機器が行う割込み処理がポーリングに対する端末機器の返答時間に行われかつ割込み信号がブレークデータにより構成されてなり、請求項８では中央監視装置の制御部は異常発生を検知した端末機器からの割込信号を受信したとき該割込信号を送出した端末機器を特定する処理を行い、請求項９では端末機器がアナログ感知器又は中継器であることを特徴としている
【００１４】
一方、請求項１０の本発明にあっては、中央監視装置から伝送路を介してポーリングによりＣＰＵを有する端末機器を呼出し、自己に対する呼出信号を受信した端末機器がその取得した監視情報を上記中央監視装置へ返送する防災監視制御装置の制御方法において、上記中央監視装置は、すべての端末機器に対し、端末機器のＣＰＵを停止状態とするスリープコマンドを送信し、該スリープコマンドを送信した後所定時間経過後に伝送路の電圧を変化させ、上記端末機器のＣＰＵは、上記スリープコマンドを受信したとき該スリープコマンドに基づいて停止状態となり、該停止状態において伝送路の電圧変化を検出したときその停止状態を解除する構成としている。
【００１５】
また、請求項１１にあっては、中央監視装置は、すべての端末機器に対し、端末機器のＣＰＵを停止状態とするスリープコマンドを送信し、該スリープコマンドを送信した後所定時間経過後に伝送路の電圧を通常の信号伝送時の電圧よりも低い所定電圧に降下させ、該電圧降下後所定時間経過後に伝送路の電圧を通常の信号伝送時の電圧に上昇させ、端末機器のＣＰＵは、上記スリープコマンドを受信したとき該スリープコマンドに基づいて停止状態となり、該停止状態において伝送路の電圧上昇を検出したときその停止状態を解除する構成としている。
【００１６】
さらに、請求項１２にあっては、中央監視装置から伝送路を介してポ−リングにより端末機器を呼出し、通常時は自己に対する呼出信号を受信した端末機器がその取得した監視情報を上記中央監視装置へ返送し、異常発生時には異常発生を検知した端末機器が割込み処理により所定のタイミングで異常検出情報を上記中央監視装置に返送する防災監視制御装置の制御方法において、上記中央監視装置は、所定周期毎に割込み信号受信時間を有し、割込み信号を受付ける回数だけポーリングを行い、該ポーリングの後すべての端末機器に対し端末機器のＣＰＵを停止状態とするスリープコマンドを送信し、該スリープコマンドを送信した後所定時間経過後に伝送路の電圧を変化させ、上記端末機器のＣＰＵは、上記スリープコマンドを受信したとき該スリープコマンドに基づいて停止状態となり、該停止状態において伝送路の電圧変化を検出したときその停止状態を解除する構成としている。
【００１７】
加えて、請求項１３にあっては、中央監視装置は、所定周期毎に割込み信号受信時間を有し、割込み信号を受付ける回数だけポーリングを行い、該ポーリングの後すべての端末機器に対し端末機器のＣＰＵを停止状態とするスリープコマンドを送信し、該スリープコマンドを送信した後所定時間経過後に伝送路の電圧を通常の信号伝送時の電圧よりも低い所定電圧に降下させ、該電圧降下後所定時間経過後に伝送路の電圧を通常の信号伝送時の電圧に上昇させ、端末機器のＣＰＵは、上記スリープコマンドを受信したとき該スリープコマンドに基づいて停止状態となり、該停止状態において伝送路の電圧上昇を検出したときその停止状態を解除する構成としている。
【００１８】
【発明の実施の形態】
次に、本発明の実施例について図面を参照して説明する。
図１は、本発明を適用した防災監視制御装置のシステム構成を示すブロック図である。本発明は、いわゆるポーリングにより煙感知器等の端末機器を呼出し、そこで得られた監視情報を受信機に返送させる防災監視制御装置を対象としており、受信機からの送信データ中に端末機器の中央処理装置（以下ＣＰＵと略す）を停止させるスリープコマンドを設定することにより、一定期間ＣＰＵを停止させ、もってシステムの消費電流の削減を図ろうとするものである。
【００１９】
本実施例は、図１に示すように、受信機１と端末機器２とを伝送路３を介して接続した構成となっている。
この場合端末機器２には、中継器４やアナログ煙感知器５、アナログ熱感知器６及び制御用中継器７が用いられる。そして、中継器４からは感知器回線３１（信号線）が引出され発信機２１やオンオフ感知器２２が接続されている。
また、制御用中継器７からは、制御回線３２が引出され防排煙機器２３等の制御負荷が接続されている。
【００２０】
ここで受信機１には、ＣＰＵを用いた制御部１１が設けられ、これに対しさらに表示部１２、操作部１３、警報や音声メッセージを出力する鳴動部１４及び電源部１５が設けられている。また、制御部１１には、所定のタイミングにより複数端末に情報収集を同時に命令する情報収集命令手段１６が設けられている。なお、電源部１５は、停電時以外の時は図示しない商用電源から電源供給を受け受信機に所定電圧の電源供給をすると共に、停電時における非常電源としてのバッテリに電源を蓄積している。
本実施例では、この制御部１１によって、端末側のアドレスを指定した呼出しと端末情報の収集を行ういわゆるポーリングが行われている。本実施例におけるポーリングでは、制御部１１の機能として設けた情報収集命令手段１６が一定周期、例えば１秒毎にすべての端末に対し一括した情報収集の命令を発行し、その情報収集命令に基づき、端末側ではほぼ同時刻で検出データの収集保持が行われる。そして、情報収集後に端末機器個々のアドレスを指定してポーリングを行い、端末側に保持されている監視情報が受信機１に送られてくる。本発明は、停電時において、このようなポーリング処理１回毎に端末機器のＣＰＵを停止させるスリープコマンドを端末側に送り、これにより消費電流の削減を図るというものである。
【００２１】
一方、端末機器２には、先述のように中継器４等が用いられているが、いずれの端末であっても情報収集命令や呼出命令、ＣＰＵ停止、停止解除命令等に対する中継器としての機能は全く同じである。従って、受信機１から見たとき伝送路３の各端末に対しては、例えば１〜１２７の１２７アドレスのように、一連の端末アドレスが設定される。
【００２２】
図２、図３に中継器４及びアナログ煙感知器５の回路構成を示す。
図２において、中継器４には制御回路４１が設けられる。制御回路４１には制御手段としてのＣＰＵ４２、ＲＡＭ等を使用したメモリ４３、更にＡＤ変換部４４が設けられる。また、制御回路４１のＣＰＵ４２に対しては送受信回路４５とアドレス設定回路４６が設けられる。送受信回路４５は受信機１からの呼出信号を電圧モードで受信してＣＰＵ４２に供給すると共にＣＰＵ４２からの応答信号を電流モードで受信機１に送出する。一方、ＣＰＵ４２には、これらの信号のやり取りを行うポートとは別に停止解除信号を受けるための停止解除信号入力ポート４２１が設けられており、送受信回路４５を介して受信機１からの信号を受け得るようになっている。なお、この停止解除信号入力ポート４２１は、ＣＰＵ４２が停止状態であるときのみその入力が有効となるものであり、ＣＰＵ４２が作動状態の時ここに入力があってもＣＰＵ４２の動作には何ら影響を及ぼさない。
【００２３】
アドレス設定回路４６はディップスイッチ等を用いたアドレス設定スイッチ８１により、ＣＰＵ４２に対し予め決められた端末アドレスを設定する。アドレス設定回路４６によるアドレス設定は、固有の自己アドレスに加えて複数の中継器をグループ化した際のグループアドレスも併せて設定される。
ＣＰＵ４２には情報収集手段及び応答手段としての機能が設けられる。制御回路４１に設けたＡＤ変換部４４は番号１，２，・・・ｎで示す複数の入力ポートをもっている。このＡＤ変換部４４の入力ポート１〜ｎに対応した数の検出器として例えばオンオフ感知器や発信機を外部接続することができる。この図２においては、オンオフ感知器２２−１，２２−２，・・・２２−（ｎ−１）の内の２つと最後に接続した１つの発信機２１を示しており、オンオフ感知器２２−１〜２２−（ｎ−１）はＡＤ変換部４４の入力ポート１，２，・・・（ｎ−１）に対応し、最後の発信機２１は入力ポートｎに対応している。
【００２４】
一方、中継器４の受信機に対する伝送路側に信号線端子Ｓ、感知器回線端子Ｖ、発信機２１用の確認応答線端子ＡＡ、更にコモン端子ＳＣが設けられている。従って受信機１との間では４回線で接続されることになる。信号線Ｓとコモン端子ＳＣに続いてはダイオードＤ２とツェナダイオードＺＤ２が設けられ、更に定電圧回路８２が設けられている。
【００２５】
定電圧回路８２は制御回路４１側に対する電源電圧例えば＋３．２Ｖを出力する。また感知器回線端子Ｖに続いてはダイオードＤ１，ツェナダイオードＺＤ１が設けられ、さらに定電圧回路８３が設けられている。定電圧回路８３は外部接続されているオンオフ感知器２２−１〜２２−（ｎ−１）及び発信機２１に必要な電源電圧例えば２０Ｖを出力する。定電圧回路８３に続いてはオンオフ感知器２２−１〜２２−（ｎ−１）及び発信機２１のそれぞれに対応して、個別に火災断線検出回路８４−１〜８４−ｎ及び試験回路８５−１〜８５−ｎが設けられている。
【００２６】
火災断線検出回路８４−１〜８４−ｎに対しては昇圧回路８６の昇圧電圧例えば３５Ｖが供給されている。昇圧回路８６はＣＰＵ４２でデータサンプリング処理を行う際に一時的に動作され、火災断線検出回路８４−１〜８４−ｎを介してオンオフ感知器２２−１〜２２−（ｎ−１）及び発信機２１に対し通常の電源電圧２０Ｖより高い３５Ｖの昇圧電圧を検出動作電圧として加える。
【００２７】
オンオフ感知器２２−１〜２２−（ｎ−１）は例えばオンオフ感知器２２−１に示すように、発報表示灯８７と抵抗Ｒ１の直列回路に抵抗Ｒ２を並列接続し、この並列回路にさらに感知器接点８８を接続している。感知器接点８８はダイアフラム式熱感知器における機械的なスイッチ接点や煙感知器，熱感知器等における火災検出信号によりトリガされるサイリスタ等のスイッチング手段で構成される。
【００２８】
またオンオフ感知器２２−１の端子には終端器８９が接続されている。終端器８９はツェナダイオードＺＤ２，抵抗Ｒ０及びツェナダイオードＺＤ３を直列接続している。ツェナダイオードＺＤ２，ＺＤ３は接続極性が入れ替わってもいずれか一方が機能するように逆向きに終端抵抗Ｒ０に対し接続している。ツェナダイオードＺＤ２，ＺＤ３はデータサンプリングが行われない通常時の定電圧回路８３の出力電圧２０Ｖで非導通にあり、データサンプリングを行う昇圧回路８６の出力電圧例えば３５Ｖを受けたときに導通するツェナ電圧としている。
【００２９】
一方、ＡＤ変換部４４の入力ポートｎに対応した発信機２１は、押しボタン操作でオンするスイッチ接点９０と、スイッチ接点９０に連動して閉じるスイッチ接点９１とを有し、スイッチ接点９０を火災断線検出回路８４−ｎからの感知器回線に接続している。また、この発信機２１には、中継器４の応答確認端子ＡＡからの信号線が引き込まれており、確認表示灯９２，抵抗Ｒ３，Ｒ４を介してスイッチ接点９１に接続されている。
【００３０】
中継器４の確認応答端子ＡＡには、発信機２１の火災検出信号に基づいて制御回路４１より受信機１に火災検出情報が割込みにより送信される。そして、受信機１側で受信動作が行われると確認信号を確認応答端子ＡＡに送る。具体的には電圧供給が行われ、これにより確認表示灯９２を点灯する。
さらにオンオフ感知器２２−１〜２２−（ｎ−１）および発信機２１に対応して設けた試験回路８５−１〜８５−ｎは、中継器４における試験スイッチの操作あるいは受信機１からの呼出信号による試験コマンドを受けたときに順次作動されて感知器回線間を短絡する。これにより、感知器接点８８あるいは発信機スイッチ接点９０が作動したと同じ擬似火災状態を作り出すことができ、オンオフ感知器が動作した時の試験を行うことができるようになっている。
【００３１】
図３はアナログ煙感知器５の一実施例を示したブロック図である。図３において、アナログ煙感知器は感知器本体５ａと感知器ベース５ｂから構成される。感知器本体５ａにはベース側より接続極性を無極性化するための整流回路５１，ノイズ吸収回路５２，伝送信号検出回路５３が設けられる。伝送信号検出回路５３は受信機１からの電圧モードによる呼出信号を検出して伝送制御回路５４に供給する。なお、アナログ煙感知器５においても、中継器４の場合と同様に、呼出信号等のやり取りを行うポートとは別に停止解除信号を受けるための停止解除信号入力ポート５４１が設けられており、伝送信号検出回路５３を介して受信機１からの信号を受け得るようになっている。
【００３２】
伝送制御回路５４に対してはアドレス・種別設定回路５５からのアドレス情報及び種別情報が設定される。この伝送制御回路５４は図２に示した中継器４の制御回路４１と同じ機能を有する。従って、通常のポーリングによる呼出信号に対してはメモリに記憶している検出データを返送し、またデータサンプリングコマンドを受けると検出データの収集処理を行う。
【００３３】
アナログ煙感知器５において煙検出はＬＥＤ駆動回路５６，赤外ＬＥＤ５７，受光回路５８及び増幅回路５９によって行われる。また、アナログ煙感知器５には試験動作のためのテストＬＥＤ１００も設けられている。ＬＥＤ駆動回路５６は、伝送制御回路５４で受信機１からのデータサンプリングコマンドを受信した後端末機器のアドレスで決まる固有時間が経過した時点で赤外ＬＥＤを発光駆動する。そして、受光回路５８及び増幅回路５９を介して得られた煙検出信号がＡＤ変換によりディジタル検出データに変換されてメモリに記憶される。なお、赤外ＬＥＤ５７と受光回路５８による煙検出構造は通常、散乱光式で行われる。
【００３４】
伝送制御回路５４からの応答信号は応答信号出力回路１０１に与えられ、電流モードで受信機１に対し信号送出を行う。なお、伝送回路５４以降は定電圧回路５０からの定電圧供給を受けて動作する。さらに、感知器ベース５ｂには発報表示灯回路１０２が設けられ、火災検出時に外部に露出している発報表示灯を点灯する。
【００３５】
さらに、伝送制御回路５４は、受信機１からのデータサンプリングコマンドに基づくデータサンプリングの際に得られたアナログ情報から火災発生を判断すると、割込みにより火災検出情報を含む応答信号を受信機１に返送する。
【００３６】
次に本発明に係る防災監視制御装置の具体的な動作について説明する。図４は本発明におけるポーリング動作の第１の実施例の様子を示すタイムチャートである。
本発明は、停電時における防災監視制御装置の制御に関するものであり、本実施例にあっては、まず、受信機１からの信号送出に伴い全端末機器２が動作状態となる。次に、各端末機器２がデータを収集し、呼出信号に基づきアドレス１とアドレス２の端末機器２が順に応答する。その後受信機１からのスリープコマンドによりしばらくの間全端末機器２が停止状態（スリ−プ）となる。そして、再び受信機１からの信号送出に伴い全端末機器２が動作状態に入り（ウエイクアップ）、今度はアドレス３及び４が応答する。このように、本実施例にあっては、停電時において一定期間端末機器２のＣＰＵ４２，５４が停止状態となるため、連続してポーリングを行う場合に比してその分消費電力が節減されることになる。
なお、本実施例によれば、ＣＰＵ停止時間が設けられているため、連続してポーリングを行う場合に比して全ての端末機器をポーリングするには時間がかかることになるが、例えばアドレス３の端末機器が呼出されている場合であっても、他の端末機器において異常を検出している場合には所定のタイミングで割込みがかけられ、受信機１は異常検出情報を受取ることができるため防災監視上問題はない。
また、火災情報以外の情報は緊急性が低いため、ポーリング回数は１秒間に１、２回と少ない回数でも良い。従って、本実施例のように割込み処理を実施することにより、火災情報の獲得についての信頼性を確保しつつ端末機器のＣＰＵを停止させることができ、本発明をより効果的に適用できる。
【００３７】
図５に上記の場合における受信機１からの送出信号と端末機器２の応答との関係をさらに詳細に記したタイムチャートを示す。また図６はこの間の処理手順を示すフローチャートである。
図５に示すように、受信機１からの信号には、各種コマンドの送信や端末機器２の応答のための時間が割り振られている。ここでは、図６をも参照しつつ受信機１と端末機器２との信号の授受の様子を説明する。まず、受信機１からの出力電圧がハイになる（ステップ１、以下Ｓ１と略す）。その後機器が定常状態となるまでの時間として４０ｍｓのウォームアップタイムが設定される（Ｓ２）。そして、このウォームアップタイムが経過した後にＡＤ変換コマンドが発せられる（Ｓ３）。このＡＤ変換コマンドは、コマンドデータフィールド（Ｃｍ）、アドレスデータフィールド（Ａｄ）及びチェックサムフィールド（Ｃｓ）から構成されており２７．５ｍｓである。本実施例においては、コマンドデータフィールドに、端末機器２に対し、端末機器データを収集してデジタル信号に変換することを要求する命令が組込まれている。また、アドレスデータフィールドには全端末機器２を呼出す旨のデータが組込まれている。チェックサムフィールドは前の２つのデータが正しく設定されているか否かを判別するため、両データの和をとってその正誤を判定するためのものである。
【００３８】
ＡＤ変換コマンドを受信した端末機器２はその指示に従って、次の端末機器ＡＤ変換時間（８０ｍｓ）の間に端末機器データを収集しそれをデジタル信号に変換する（Ｓ４）。端末機器ＡＤ変換時間が経過すると、受信機１は、ここで各端末機器２を個別に呼出す（Ｓ５）。ここでも図５に示すように、コマンドデータフィールド（Ｃｍ）、アドレスデータフィールド（Ａｄ）及びチェックサムフィールド（Ｃｓ）から構成されるポーリングデータが送出される。この場合、コマンドデータフィールドには呼出された端末機器２が応答すべき旨の命令が組込まれている。また、アドレスデータフィールドには呼出したいアドレス（本実施例にあってはアドレスｎ）が記されている。チェックサムフィールドは先述同様データの正誤判定用である。このポーリングデータを受けた各端末機器２は、自己のアドレスとアドレスデータとを比較し、これが一致した場合には、端末機器データを返送する（Ｓ６）。返送データは、図５に示したようにオンオフ感知器２２の発報の有無や煙感知器５における測定データを示す端末機器データフィールド（ｄ）と、チェックサムフィールドとから構成されている。このポーリング応答により受信機１は異常発生の有無を判断する。なお、１端末機器のポーリング処理には５４．２ｍｓの時間が当てられる。
【００３９】
アドレスｎの端末機器２の応答が終了すると続いてアドレスｎ＋１の端末機器２に対するポーリングが行われる（Ｓ７）。これもアドレスｎの端末機器２の場合と同様、ポーリングデータが受信機１から送出され、これを受けたアドレスｎ＋１の端末機器２がこれに応答する（Ｓ８）。
【００４０】
このようにポーリング処理による応答が端末機器２個に対してなされた後、本発明にあっては端末機器２のＣＰＵを停止状態とさせる２７．５ｍｓのスリープモードコマンドが発せられる（Ｓ９）。このスリープモードコマンドもコマンドデータフィールド（Ｃｍ）、アドレスデータフィールド（Ａｄ）及びチェックサムフィールド（Ｃｓ）から構成される。この場合コマンドデータフィールドには、ＣＰＵを停止させる旨の命令が組込まれている。また、アドレスデータフィールドには全端末機器２を対象とする意味のデータが組込まれている。従って、このスリープモードコマンドを送出することにより、これを受けた全ての端末機器２のＣＰＵは停止状態となる。
そして、スリープモードコマンドのチェックサムフィールドのストップビット送信後１０ｍｓを経過すると（Ｓ１０）受信機１よりの出力電圧をローレベルとして一連のポーリング処理が終了する（Ｓ１１）。
【００４１】
このように一連のポーリング処理が経過した後受信機１は約１．２秒間ローレベルを維持する。これによりこの間端末機器２のＣＰＵは停止状態となる。
一方、１．２秒間経過すると次のポーリング処理が開始される。このとき受信機１は出力電圧をローレベルからハイレベルに上昇する。端末機器２は、この電圧の立上がりを停止解除信号入力ポート４２１、５４１により受け、ＣＰＵの停止状態が解除される。なお、この場合先述のように停止解除信号入力ポート４２１、５４１は、ＣＰＵが停止状態である場合のみその入力が有効となるポ−トであることから、このハイレベル信号は有効となり、それによってＣＰＵの停止状態が解除される。
この間の処理手順の概念を示したものが図７である。図７に示すように、停電を検知してスリープモードが開始されると端末機器２のＣＰＵを停止させる時間Ｘ秒がセットされる（Ｓ１２）。そして、Ｘ秒の経過が判断され（Ｓ１３）、Ｘ秒が経過した時には再びハイレベルが出力されＣＰＵは活動状態となる（Ｓ１４）。このＸ秒が本実施例では１．２秒に設定されていることになる。
【００４２】
ここで、端末機器２におけるポーリング応答処理手順を説明し、併せて本発明における端末機器２の動作について図面を参照して説明する。
図８、図９は通常処理の場合の処理手順を示すフローチャート、図１０は停電時における処理手順を示すフローチャートである。
通常時においては、まず受信機１からの信号受信の有無が確認される（Ｓ２１）。信号受信が確認されるとステップＳ２２に進み、受信したコマンドフィールドがサンプリングコマンドか否かチェックする。
【００４３】
サンプリングコマンドでなければＳ２３に進み、呼出アドレスと自己アドレスとの一致をチェックし、アドレス一致が得られればＳ２４に進み、制御コマンドか否かチェックする。通常のポーリングにあっては、検出データが応答コマンドであることからＳ２６に進み、メモリに記憶している検出データを読み出して受信機１に送信する応答送信を行う。一方、感知器試験等の制御コマンドであった場合にはＳ２５に進み、指定された感知器試験等の制御を実行し、Ｓ２６で結果を応答送信する。
【００４４】
一方、Ｓ２２でサンプリングコマンドの受信が判別された場合には図９に示すＳ２７に進み、アドレスにより待ち時間Ｔｗを設定し、Ｓ２８で設定待ち時間Ｔｗの経過を待つ。ステップＳ２８で待ち時間Ｔｗが経過するとステップＳ２９〜Ｓ３１に示すように、中継器４の場合であればＡＤ変換部４４の入力ポート１〜ｎの順番に検出信号のサンプリングを実行する。
【００４５】
即ち図２の場合には、昇圧回路８６を動作した状態で火災断線検出回路８４−１〜８４−ｎの検出電圧をポート１〜ｎから順次読み込んで、ＡＤ変換によりディジタルの検出データに変換してメモリ４３に格納する。全てのポートのサンプリングが済むとＳ３２に進み、メモリ４３に記憶された検出データの中に火災検出領域のデータがあるか否かチェックし、あれば火災であることからステップＳ３３に進み、火災検出データを割込みにより受信機１に送信する。
【００４６】
また火災でなかった場合にはステップＳ３４に進み、検出電圧が断線検出領域にあるか否かで断線か否か判断し、もし断線があればステップＳ３５に進んでポーリングを呼出して応答データフォーマットの障害ビットをセットする。
【００４７】
また、受信機１側においては応答信号は次のように処理される。図１１は、その処理の様子を示すフローチャートである。受信機１は、端末機器２からの応答信号を受信するとまずその信号がブレークデータか否かを判断する（Ｓ４１）。そして、それがブレークデータでない場合には障害を示すデータであるか否かを判断し（Ｓ４２）、正常データであれば処理を終了する。
これに対し、Ｓ４１においてブレークデータであることが確認されると、火災検出データによる割込みと判断し、受信機１は異常を検出した端末機器２を探索する（Ｓ４３）。そして、検索の結果判明した制御対象となる回線の全回線を制御する（Ｓ４４）。また、Ｓ４２において、障害が検出された場合には、その障害内容を表示して（Ｓ４５）、処理を終わる。
なお、ブレークデータの送出・受信による割込み処理及び異常を検出した端末機器の探索については、特開平５−６４９２や特開平５−６４９３などに示された公知の方法が用いられる。
【００４８】
一方、停電時においては端末機器２側は次のように応答する。
まず、所定の初期設定（Ｓ５１）の後、一旦停止状態モード（スリープモード）となる（Ｓ５２）。そして、ＣＰＵの停止解除信号入力ポート４２１、５４１に対して受信機１からの出力電圧のローレベルからハイレベルへの立上がり信号が入力したか否かを判断する（Ｓ５３）。立上がり信号が入力した場合には、停止状態モードが解除され（Ｓ５４）、図８、図９に示したような通常処理が行われる（Ｓ５５）。通常処理の後、受信機１からの信号に停止コマンド（スリープモードコマンド）が含まれているか否かを判断する（Ｓ５６）。停止コマンドを受けた場合にはＳ５２に戻り再び停止状態となる。また、停止コマンドを受けていない場合には通常処理が繰り返される（Ｓ５５）。
【００４９】
次に本発明におけるポーリング動作の第２の実施例について説明する。図１２はその場合におけるタイムチャートである。本実施例は、先の実施例が２個の端末機器２を呼出した後にスリープコマンドを送出して、端末機器２のＣＰＵを停止状態としたのに対し、１個の端末機器を呼出す毎にスリープモードコマンドを送出する構成としたものである。本実施例においても、先述同様ウォームアップタイムの設定、ＡＤ変換コマンドの送出、それに基づく端末機器２側におけるＡＤ変換、アドレスを指定してのポーリングとその応答が行われ、スリープモードコマンドが送出される。この場合における一連の処理も先述同様の手順にて行われる。
【００５０】
図１３はポーリング動作の第３の実施例の様子を示すタイムチャートである。この場合には、まず１個の端末機器を呼出しその応答を得た後スリープモードコマンドを送出してＣＰＵを停止状態とする。次に、今度は２個の端末機器を順に呼出しその後スリープモードコマンドを送出する。即ち、本実施例にあっては、１個、２個、１個の順で端末機器２とのデータのやり取りを行い、１個を呼出してはＣＰＵを停止させ、次いで２個を順に呼出してはＣＰＵを停止させるというようにポーリング処理を行う。
【００５１】
以上、ポーリング動作として３つの例を示したが、防災監視制御装置の制御方法としては上述の３つの実施例には限られず、スリープモードコマンドを送出して端末機器のＣＰＵを停止させるというものである限り、端末機器呼出し個数は任意に変更できるのは言うまでもない。また、実施例中においては、受信機１からのハイレベル信号の立上りを検知してＣＰＵの停止状態が解除されるようにしたが、ローレベル信号への立下りを検知するようにしても良く、さらに、通常のハイレベルより高い電圧や通常のローレベルより低い電圧の信号を送信しこれを検知することによってＣＰＵのＯＮ／ＯＦＦを制御する構成としても良い。
【００５２】
【発明の効果】
以上説明したように請求項１の本発明にあっては、端末機器のＣＰＵがスリープコマンドを受信したときそれに基づき停止状態となり、停止状態において伝送路の電圧変化を検出したときその停止状態が解除されるという構成としたので、常時端末機器を呼出すことなく、かつ端末機器側において停止解除信号を受けるための周辺回路が殆ど不要であり、従来の装置に比して停電時における電流消費量を削減することができるという効果がある。従って、バッテリや電源の容量を小さくすることができ、装置の小型化、低コスト化を図ることができる。また、端末機器における消費電流が削減されることから線路抵抗を大きくすることもでき、その分線路長を長くすることもできる。
【００５３】
また、請求項２の本発明にあっては、中央監視装置は、スリープコマンド送信後伝送路の電圧を降下、上昇させる制御部を備え、端末機器のＣＰＵは、スリープコマンドを受信したときそれに基づき停止状態となり、該停止状態において伝送路の電圧上昇を検出したときその停止状態が解除されるという構成としたことにより、解除信号を受けるための周辺回路が殆ど不要であると共に、スリープコマンド送信後、伝送線をローレベルとすることにより、ＣＰＵ以外の周辺回路の消費電流も減らすことができるという効果がある。
【００５４】
さらに、請求項３の本発明にあっては、上記の効果に加えて、火災信号について割込み処理を行うこととしたことにより、火災情報を確実に獲得し得る状況下においてポーリングの回数を減らし端末機器のＣＰＵを停止させることができ、信頼性を確保しつつ大幅に消費電流を減らすことができるという効果がある。
加えて、請求項４の本発明にあっても、上記の効果に加えて、火災信号について割込み処理を行い、かつスリープコマンド送信後伝送線をローレベルとすることとしたことにより、火災情報を確実に獲得しつつ、かつＣＰＵ以外の周辺回路の消費電流も減らすこともできるという効果がある。
【図面の簡単な説明】
【図１】本発明に係る防災監視制御装置の全体構成を示すブロック図である。
【図２】本発明に係る防災監視制御装置に使用する中継器の構成の一例を示すブロック図である。
【図３】本発明に係る防災監視制御装置に使用するアナログ感知器の構成の一例を示すブロック図である。
【図４】本発明によるポーリング動作の第１の実施例の様子を説明するタイムチャートである。
【図５】本発明に係る第１の実施例のポーリング動作の詳細を示すタイムチャートである。
【図６】本発明に係る第１の実施例のポーリング動作の処理手順を示すフローチャートである。
【図７】スリープモード時における処理手順を示すフローチャートである。
【図８】本発明を適用する防災監視制御装置における通常処理の場合の処理手順を示すフローチャートである。
【図９】本発明を適用する防災監視制御装置における通常処理の場合の処理手順を示すフローチャートである。
【図１０】本発明を適用する防災監視制御装置における停電時の場合の処理手順を示すフローチャートである。
【図１１】本発明を適用する防災監視制御装置における受信機側の処理手順を示すフローチャートである。
【図１２】本発明に係る第２の実施例のポーリング動作の詳細を示すタイムチャートである。
【図１３】本発明に係る第３の実施例のポーリング動作の詳細を示すタイムチャートである。
【図１４】従来の防災監視制御装置のポーリング動作を示すタイムチャートである。
【符号の説明】
１  受信機（中央監視装置）
２  端末機器
３  伝送路
４  中継器
５  アナログ煙感知器
６  アナログ熱感知器
７  制御用中継器
１１  制御部
４２  ＣＰＵ
５４  ＣＰＵ
４２１  停止解除信号入力ポート
５４１  停止解除信号入力ポート
【図１】
0003563847.tif 000002
【図２】
0003563847.tif 000003
【図３】
0003563847.tif 000004
【図４】
0003563847.tif 000005
【図５】
0003563847.tif 000006
【図６】
0003563847.tif 000007
【図７】
0003563847.tif 000008
【図８】
0003563847.tif 000009
【図９】
0003563847.tif 000010
【図１０】
0003563847.tif 000011
【図１１】
0003563847.tif 000012
【図１２】
0003563847.tif 000013
【図１３】
0003563847.tif 000014
【図１４】
0003563847.tif 000015